(57)【要約】【課題】簡単な構造で製作が容易であり幅広い簡易建屋に適用可能な簡易建屋及びそれに使用する連結ブラケットを提供する。【解決手段】本考案に係る簡易建屋１は、複数の正三角形で構成される正２０面体上部の五角錐体部分Ａ及び中央の１０面体部分Ｂの各辺に配置される２５本の棒状の骨格部材１３ｂと、前記各辺に配置される骨格部材１３ｂ同士を連結する連結ブラケットと、前記五角錐体部分Ａを屋根３１とすべく、前記五角錐体部分Ａの各辺に配置される１０本の骨格部材を支持部材とし、当該骨格部材を覆うように取付けられる屋根部材３２と、前記中央の１０面体部分Ｂの一部を覆う壁材４２と、当該建屋１内に吹き込む風を逃がすことが可能な空気排出口１０１と、を備える。【選択図】図１
0003208097.tif 000002
【実用新案登録請求の範囲】
【請求項１】
複数の正三角形及び／又は二等辺三角形で構成される正２０面体又は２０面体の上部の五角錐体部分Ａ及び中央の１０面体部分Ｂの各辺に配置される２５本の棒状の骨格部材と、
前記各辺に配置される骨格部材同士を連結する連結ブラケットと、
前記五角錐体部分Ａを屋根とすべく、前記五角錐体部分Ａの各辺に配置される１０本の骨格部材を支持部材とし、当該骨格部材を覆うように取付けられる屋根部材と、
前記中央の１０面体部分Ｂの少なくとも一部を覆う側壁部材と、
当該建屋内に吹き込む風を逃がすことが可能な通風手段と、
を備えることを特徴とする簡易建屋。
【請求項２】
さらに前記中央の１０面体部分Ｂの下部の各辺に配置される５本の骨格部材を支持部材とし、当該骨格部材を覆うように床材が取付けられ、床が形成されていることを特徴とする請求項１に記載の簡易建屋。
【請求項３】
さらにキャスターを備え、移動可能なことを特徴とする請求項１又は２に記載の簡易建屋。
【請求項４】
前記通風手段が、前記屋根の頂部に設けられた通風口と、前記通風口の上部に設けられた補助屋根とを有し、前記屋根と前記補助屋根との間の空間部分が空気排出口となり、
前記補助屋根は、前記通風口から建屋内に雨が入り込むことを防止することを特徴とする請求項１から３のいずれか１項に記載の簡易建屋。
【請求項５】
前記五角錐体部分の頂点Ｃから伸びる５辺に配置される５本の棒状の骨格部材が、軒を形成するように先端が前記中央の１０面体部分Ｂから突出し、
前記屋根部材は、軒を形成するように前記突出部分も覆うことを特徴とする請求項１から４のいずれか１項に記載の簡易建屋。
【請求項６】
前記五角錐体部分の頂点Ｃから伸びる５辺に配置される５本の棒状の骨格部材が、軒を形成するように先端が前記中央の１０面体部分Ｂから突出し、さらに当該５本の骨格部材の先端部同士を連結する棒状体を有し、
前記屋根部材及び側壁部材がテント地であり、
前記屋根部材は、軒を形成するように前記突出部分及び前記棒状体も覆うことを特徴とする請求項１から４のいずれか１項に記載の簡易建屋。
【請求項７】
前記簡易建屋が、東屋又は簡易テントハウスであることを特徴とする請求項１から６のいずれか１項に記載の簡易建屋。
【請求項８】
前記屋根部材及び側壁部材がテント地で一体的に形成され、側壁部分には雨の侵入防止手段を備える窓及び人が出入り可能な出入口を備え、
前記屋根部材及び側壁部材は、前記連結ブラケットを介して連結された骨格部材に対して覆い被せるように取付けられていることを特徴とする請求項１から３のいずれか１項に記載の簡易建屋。
【請求項９】
前記通風手段が、渦巻き状のバネ部材を介して巻き取られた柔軟性を有する両端が開口した筒状体を備え、
前記筒状体は、基端部が前記屋根及び／又は側壁に設けられた通風口を覆うように取付けられ、建屋内の圧力が上昇すると、渦巻き状態から直線状となり建屋内の空気を排出し、建屋内外の圧力差がなくなると前記バネ部材を介して渦巻き状に巻き取られ、雨の侵入を防止することを特徴とする請求項８に記載の簡易建屋。
【請求項１０】
前記通風手段は、さらに前記筒状体を強制的に直線状とする手段を備え、
前記通風手段は、前記屋根に取付けられ、前記筒状体を前記手段を介して直線状にすることで換気手段として利用可能なことを特徴とする請求項９に記載の簡易建屋。
【請求項１１】
前記簡易建屋が、グランピングハウスであることを特徴とする請求項８から１０のいずれか１項に記載の簡易建屋。
【請求項１２】
請求項１から１１のいずれか１項に記載の簡易建屋で使用する連結ブラケットであって、
５本の前記骨格部材を連結可能な５つの連結片を有し、前記連結片の１つをそのまま又は折り曲げることで前記簡易建屋を基礎部材に連結する連結手段として使用可能なことを特徴とする連結ブラケット。
【請求項１３】
請求項１から１１のいずれか１項に記載の簡易建屋で使用する連結ブラケットであって、
断面が皿形状を有し、連結される前記骨格部材がそれぞれ縁高の境界部の間に形成される凹部に納まるように絞り加工されてなることを特徴とする連結ブラケット。
【考案の詳細な説明】
【技術分野】
【０００１】
本考案は、簡単な構造で製作が容易な簡易建屋及びそれに使用する連結ブラケットに関する。
【背景技術】
【０００２】
これまでに東屋（四阿）、キャンピングハウスなどに関連し、簡単な構造で製作が容易な簡易建屋が種々提案されている。例えば特許文献１には、十文字状となるように水平に組んだ土台の両端部分から４本の支柱を斜めに立て、その上に方形の屋根を載せ、さらにテーブル、座板を備える簡易組み立て式の東屋が提案されている。
【０００３】
また特許文献２には、平坦な基盤上に一定長さと高さを有する複数枚の壁体パネルを連設してなる正複数面体の壁体と、該壁体上面に底部が載置され固定された壁体パネルと同数の台形状の屋根パネルと屋根パネルの上辺に位置する傘パネルからなる正多角錐様の屋根下地と、屋根下地を構成する屋根パネルの各面を被覆するように固着された面状体とからなるキャンピングハウスが提案されている。
【０００４】
また本考案者らは、堅固な骨組構造を基本構造としながら、軽量かつ単純形状で部品点数の少ない構成部材をもって容易に組み立てることができる簡易住宅を開発している（例えば特許文献３参照）。この簡易住宅は、構成部材の保管、取扱い性に優れ、備蓄することにより、罹災時に大量かつ迅速に簡易住宅を提供することができる。
【先行技術文献】
【特許文献】
【０００５】
【特許文献１】特開２００２−２１３０９３号公報
【特許文献２】特開２０００−８０７２２号公報
【特許文献３】特開２０１６−６９８４２号公報
【考案の概要】
【考案が解決しようとする課題】
【０００６】
特許文献１〜３に記載の簡易建屋を含め、これまでに提案されている簡易建屋は、東屋ならば東屋、キャンピングハウスならばキャンピングハウス各々の形態、構造しか考慮されていない。東屋、キャンピングハウスなどの簡易建屋の骨組み構造を共通化することができれば種々の簡易建屋の製作が容易となり、また幅広い簡易建屋に適用することができるが、これまでこのような考え方は提案されていない。
【０００７】
本考案は、簡単な構造で製作が容易であり幅広い簡易建屋に適用可能な簡易建屋及びそれに使用する連結ブラケットを提供することである。
【課題を解決するための手段】
【０００８】
本考案は、複数の正三角形及び／又は二等辺三角形で構成される正２０面体又は２０面体の上部の五角錐体部分Ａ及び中央の１０面体部分Ｂの各辺に配置される２５本の棒状の骨格部材と、前記各辺に配置される骨格部材同士を連結する連結ブラケットと、前記五角錐体部分Ａを屋根とすべく、前記五角錐体部分Ａの各辺に配置される１０本の骨格部材を支持部材とし、当該骨格部材を覆うように取付けられる屋根部材と、前記中央の１０面体部分Ｂの少なくとも一部を覆う側壁部材と、当該建屋内に吹き込む風を逃がすことが可能な通風手段と、を備えることを特徴とする簡易建屋である。
【０００９】
また本考案の簡易建屋は、さらに前記中央の１０面体部分Ｂの下部の各辺に配置される５本の骨格部材を支持部材とし、当該骨格部材を覆うように床材が取付けられ、床が形成されていることを特徴とする。
【００１０】
また本考案の簡易建屋は、さらにキャスターを備え、移動可能なことを特徴とする。
【００１１】
また本考案の簡易建屋は、前記通風手段が、前記屋根の頂部に設けられた通風口と、前記通風口の上部に設けられた補助屋根とを有し、前記屋根と前記補助屋根との間の空間部分が空気排出口となり、前記補助屋根は、前記通風口から建屋内に雨が入り込むことを防止することを特徴とする。
【００１２】
また本考案の簡易建屋は、前記五角錐体部分の頂点Ｃから伸びる５辺に配置される５本の棒状の骨格部材が、軒を形成するように先端が前記中央の１０面体部分Ｂから突出し、前記屋根部材は、軒を形成するように前記突出部分も覆うことを特徴とする。
【００１３】
また本考案の簡易建屋は、前記五角錐体部分の頂点Ｃから伸びる５辺に配置される５本の棒状の骨格部材が、軒を形成するように先端が前記中央の１０面体部分Ｂから突出し、さらに当該５本の骨格部材の先端部同士を連結する棒状体を有し、前記屋根部材及び側壁部材がテント地であり、前記屋根部材は、軒を形成するように前記突出部分及び前記棒状体も覆うことを特徴とする。
【００１４】
また本考案の簡易建屋は、前記簡易建屋が、東屋又は簡易テントハウスであることを特徴とする。
【００１５】
また本考案の簡易建屋は、前記屋根部材及び側壁部材がテント地で一体的に形成され、側壁部分には雨の侵入防止手段を備える窓及び人が出入り可能な出入口を備え、前記屋根部材及び側壁部材は、前記連結ブラケットを介して連結された骨格部材に対して覆い被せるように取付けられていることを特徴とする。
【００１６】
また本考案の簡易建屋は、前記通風手段が、渦巻き状のバネ部材を介して巻き取られた柔軟性を有する両端が開口した筒状体を備え、前記筒状体は、基端部が前記屋根及び／又は側壁に設けられた通風口を覆うように取付けられ、建屋内の圧力が上昇すると、渦巻き状態から直線状となり建屋内の空気を排出し、建屋内外の圧力差がなくなると前記バネ部材を介して渦巻き状に巻き取られ、雨の侵入を防止することを特徴とする。
【００１７】
また本考案の簡易建屋において、前記通風手段は、さらに前記筒状体を強制的に直線状とする手段を備え、前記通風手段は、前記屋根に取付けられ、前記筒状体を前記手段を介して直線状にすることで換気手段として利用可能なことを特徴とする。
【００１８】
また本考案の簡易建屋は、前記簡易建屋が、グランピングハウスであることを特徴とする。
【００１９】
本考案は、前記簡易建屋で使用する連結ブラケットであって、５本の前記骨格部材を連結可能な５つの連結片を有し、前記連結片の１つをそのまま又は折り曲げることで前記簡易建屋を基礎部材に連結する連結手段として使用可能なことを特徴とする連結ブラケットである。
【００２０】
また本考案は、前記簡易建屋で使用する連結ブラケットであって、断面が皿形状を有し、連結される前記骨格部材がそれぞれ縁高の境界部の間に形成される凹部に納まるように絞り加工されてなることを特徴とする連結ブラケットである。
【考案の効果】
【００２１】
本考案によれば、簡単な構造で製作が容易であり幅広い簡易建屋に適用可能な簡易建屋及びそれに使用する連結ブラケットを提供することができる。また本考案の簡易建屋は、デザイン的にも優れる。
【図面の簡単な説明】
【００２２】
【図１】本考案の第１実施形態の東屋１の外観図である。
【図２】本考案の第１実施形態の東屋１の骨格構造の外観図である。
【図３】図２のＡ部詳細図及び図２のＢ部詳細図である。
【図４】図１の東屋１の骨格部材１３を連結する他の連結ブラケット２４、２８である。
【図５】本考案の第２実施形態のテントハウス２の外観図である。
【図６】本考案の第２実施形態のテントハウス２の骨格構造の外観図である。
【図７】本考案の第３実施形態のグランピングハウス３の外観図である。
【図８】本考案の第３実施形態のグランピングハウス３の骨格構造の外観図である。
【図９】本考案の第３実施形態のグランピングハウス３に設けられた自動開閉機構１１５の構造を説明するための図である。
【考案を実施するための形態】
【００２３】
図１は、本考案の第１実施形態の東屋１の外観図、図２は、本考案の第１実施形態の東屋１の骨格構造の外観図、図３は、図２のＡ部詳細図及び図２のＢ部詳細図である。
【００２４】
本考案の第１実施形態の東屋１は、図１及び図２に示されるように大略的には正２０面体の下部の五角錐体部分を切り取ったような骨格構造１１を有し、上部の五角錐体部分Ａに屋根３１、正２０面体の中央の１０面体部分Ｂに部分的に壁（側壁）４１が取付けられ、正２０面体の中央の１０面体部分Ｂの下端に床５１が設けられ、基礎５５の上に固定されている。
【００２５】
東屋１の骨格構造１１は、正２０面体の上部の五角錐体部分Ａ及び中央の１０面体部分Ｂの各辺に配置される２５本の棒状の骨格部材１３（１３ａ、１３ｂ）が１１個の連結ブラケット２１を介して連結されてなる。骨格部材１３のうち正２０面体の上部の五角錐体部分の頂点Ｃから斜め下に伸びる５本の骨格部材１３ａは、他の２０本の骨格部材１３ｂに比して、軒３３を形成すべく長くなっている。このため５本の骨格部材１３ａは、先端部分側が中央の１０面体部分Ｂから突出している。
【００２６】
骨格部材１３の材質、断面形状は、特に限定されるものではないが、東屋１であることを考えれば木製の丸太、木材の角材が好ましい。
【００２７】
連結ブラケット２１は、中央に基部２２を有し、これに骨格部材１３に連結する連結片２３が設けられてなり、大略的には断面が皿形状でヒトデ形状である。連結片２３は、連結する骨格部材１３と同数設けられ、各連結片２３は、連結する骨格部材１３（１３ａ、１３ｂ）の軸芯に平行となっている。各連結片２３には、骨格部材１３にボルト止めするため貫通孔（図示省略）が設けられ、骨格部材１３が、連結片２３にボルト６１止めされ連結される。
【００２８】
各連結片２３に設けるボルト止めの貫通孔を間隔をあけ２以上設けることで連結ブラケット２１に対し骨格部材１３が動き難くなり好ましい。各連結片２３に対して骨格部材１３をボルト６１一本で連結すると、ボルト６１を中心に骨格部材１３が回転する恐れがある。本実施形態では、骨格部材１３が連結ブラケット２１の外側に位置するが、骨格部材１３が連結ブラケット２１の内側になるように取付けてもよい。連結ブラケットは、本実施形態の連結ブラケット２１に限定されるものではなく、骨格部材１３を確実、堅固に連結することができれば、他の形態であってもよい。以下に連結ブラケットの他の形態を示す。
【００２９】
図４は、骨格部材１３を連結する他の連結ブラケット２４、２８である。図４（ａ）は連結ブラケット２４の斜視図、図４（ｂ）は連結ブラケット２４の正面図である。連結ブラケット２４は、断面が皿形状を有し、縁高の境界部２５を有し、境界部２５の間に凹部２６が形成されている。凹部２６には、ボルト６１止めするため貫通孔２７が設けられ、凹部２６に骨格部材１３が配設され、凹部２６にボルト６１止めされ連結される。
【００３０】
連結ブラケット２４は、骨格部材１３が縁高の境界部２５の間に形成される凹部２６に納まるようになっているので、骨格部材１３の連結ブラケット２４への組付けが容易であり、さらに連結後に骨格部材１３が動き難い。また連結ブラケット２４は、連結ブラケット２１と異なり、骨格部材１３が連結される各凹部２６が縁高の境界部２５と繋がっているので、連結ブラケット２４自体が変形し難い。このような連結ブラケット２４は、絞り加工により容易に成形することができる。
【００３１】
図４（ｃ）に示す連結ブラケット２８は、連結する骨格部材１３が嵌り込む筒状の連結片２９を備える。連結片２９は、連結する骨格部材１３と同数設けられ、各連結片２９には、骨格部材１３にボルト止めするため貫通孔３０が設けられ、骨格部材１３の先端部が連結片２９に挿入され、ボルト６１止めされ連結される。このような連結ブラケット２８も連結ブラケット２１に比較して強度的に優れ変形し難く、連結ブラケット２８と骨格部材１３とが堅固に連結される。
【００３２】
連結ブラケット２１は、強度的には連結ブラケット２４、２８に劣るものの構造が簡単で安価に製造することができる。逆に連結ブラケット２４、２８は、製造コストが高くなるが強度に優れ、骨格部材１３を堅固に固定することができる。このように３種の連結ブラケット２１、２４、２８には各々の特徴があるので、東屋１の大きさ等に応じ適したものを使用すればよい。
【００３３】
屋根３１は、骨格部材１３のうち正２０面体の上部の五角錐体部分Ａを覆い、軒３３を形成するように設けられている。屋根３１は、複数の平板状の屋根部材３２が骨格部材１３ａに固定され形成されている。屋根３１を形成する屋根部材３２は、平板材に限定されるものではなく、種々の材料、形状のものを使用することができる。屋根部材３２の骨格部材１３ａへの固定方法も特定の方法に限定されるものではない。
【００３４】
本東屋１には、東屋１の中に吹き込む風により東屋１自体が持ち上がることを防止するための通風手段が屋根３１に設けられている。
【００３５】
屋根３１には頂部に通風口（図示省略）が設けられ、その通風口を覆うように通風口の上部に傘となる補助屋根３４が設けられている。この通風口と補助屋根３４とが通風手段であり、通風口と連通する、屋根３１と補助屋根３４との間の空間部が空気排出口１０１となり、屋根３１を持ち上げるように東屋１の中に吹き込む風はここから排出される。
【００３６】
屋根３１の頂部の通風口は、屋根部材３２を取付ける際に頂部の部分を除くことで簡単に形成することができる。
【００３７】
補助屋根３４は、屋根３１の頂部に支柱（図示省略）を立設し、支柱上に屋根部材３５を取付けるかたちで設けられている。補助屋根３４は、屋根３１との間に空気排出口１０１となる空間部が形成され、屋根３１に設けられた通風口から東屋１内に雨が入り込むことのないように設けることができればよく、構造等は本実施形態に限定されるものではない。但し、デザイン的には、屋根３１との調和を図り、屋根３１と同様の形態、材料、色合いであることが好ましい。
【００３８】
壁（側壁）４１は、中央の１０面体部分Ｂの下部に出入口となる２か所を除き取付けられている。壁４１は、平板状の壁材４２が中央の１０面体部分Ｂの骨格部材１３ｂに固定され形成されている。壁４１の高さ、取付け位置、壁材４２の材質、壁材４２の骨格部材１３ｂへの固定方法等は、特に限定されるものではなく、所望のものを採用することができる。
【００３９】
床５１は、中央の１０面体部分Ｂの下端に配設された５本の骨格部材１３ｂを覆うように床材５２が固定され形成されている。より詳細には、本実施形態では床下中央に基礎ブロック５７を配置し、中央の１０面体部分Ｂの下端の各連結部から中央の基礎ブロック５７に棒材（図示省略）を架け渡し、下端に配設された５本の骨格部材１３ｂ及び架け渡された棒材を支持部材とし、これを覆うように三角形に形成された５つの床材５２が取付けられ、床５１が形成されている。
【００４０】
東屋１において床５１を設けなくてもよいが、床５１を設けることで骨格部材１３ｂの太さ及び床材５２の厚さ分だけ床５１を嵩上げすることができる。これにより雨のときでも足元が濡れず好ましい。また床５１を設けることで東屋１の変形に対する強度が増す。床材５２の材質、骨格部材１３ｂへの固定方法等は、特に限定されるものではなく、所望のものを採用することができる。
【００４１】
基礎５５は、コンクリート製の基礎ブロック５５からなり、東屋１は、中央の１０面体部分Ｂの下端に使用される連結ブラケット２１を利用して基礎ブロック５５に固定されている（図３Ｂ部参照）。本実施形態では、連結ブラケット２１の連結片２３の一つを、基礎ブロック５５の上面５６と平行になるように加工し（折り曲げ）、これを介して基礎ブロック５５にボルト６１止めしている。
【００４２】
正２０面体の上部の五角錐体部分Ａ等では、各所において５本の骨格部材１３を連結するのに対して、中央の１０面体部分Ｂの下端において連結する骨格部材１３ｂは４本である。このため５本の骨格部材１３を連結する連結ブラケット２１を中央の１０面体部分Ｂの下端の骨格部材１３ｂの連結に使用すると連結片２３が一つ余る。この余っている連結片２３をそのまま使用して基礎ブロック５５に固定してもよい。この方法を採用すれば、東屋１において全て同じ連結ブラケット２１を使用することができる。
【００４３】
この場合、矩形の基礎ブロック５５を使用すると基礎ブロックの上面５６と連結片２３とが平行にならないので、基礎ブロックの上面５６と連結片２３との間を埋める当て物を使用するか、連結片２３と平行になるように基礎ブロックの上面５６の一部を加工するのが好ましい。これにより堅固に固定することができる。東屋１への基礎５５の固定は、本実施形態に限定されるものではなく他の方法であってもよい。
【００４４】
本東屋１は、骨格構造１１が正２０面体の下部の五角錐体部分を切り取ったような形状からなるため、各骨格部材１３が同じ角度で連結される。このため骨格部材１３の連結には同一形態の連結ブラケット２１を使用することができ、さらに基礎５５への固定も同一形態の連結ブラケット２１を使用することも可能なため製作が容易である。
【００４５】
図５は、本考案の第２実施形態のテントハウス２の外観図である。図５中のドットは、奥側に位置するテント地４２の存在を示すために記したものである。図６は、本考案の第２実施形態のテントハウス２の骨格構造の外観図である。図１〜図４に示す本考案の第１実施形態の東屋１と同一の構成には同一の符号を付し、説明を省略する。
【００４６】
本考案の第２実施形態のテントハウス２は、図６に示されるように大略的には２０面体の下部の五角錐体部分を切り取ったような骨格構造１４を有し、上部の五角錐体部分Ａに屋根３１が設けられている。テントハウス２の骨格構造１４は、第１実施形態の東屋１の骨格構造１１と類似するが、以下の点で異なっている。
【００４７】
第１実施形態の東屋１の骨格構造１１が正三角形を組み合わせてなる正２０面体形状をベースとするのに対して、テントハウス２の骨格構造１４は、正三角形と２等辺三角形とを組み合わせてなる２０面体形状をベースとする。具体的にはテントハウス２は、屋根３１部分の骨格構造１４ａは、東屋１と同じく正三角形を基礎とする五角錐体形状を有するが、屋根３１を支える中央の１０面体部分Ｂの骨格構造１４ｂは、２等辺三角形を基礎とする１０面体の各辺に骨格部材１５ａ、１５ｂを配置することで形成される。
【００４８】
本実施形態のテントハウス２では、屋根３１を支える骨格構造１４ｂの部分に正三角形に比較して高さの高い２等辺三角形を用いることで地面から屋根３１までの高さを高くしている。このため骨格構造１４ｂを構成する骨格部材１５ａは、骨格部材１５ｂよりも長くなっている。本実施形態において骨格部材１５ｂと骨格部材１３ｂとは同じ長さである。テントハウス２の骨格部材１３（１３ａ、１３ｂ）、１５（１５ａ、１５ｂ）の材質、形状は、特に限定されるものではなく用途に適したものを使用すればよい。
【００４９】
テントハウス２の高さは、用途等に応じて適宜設定すればよく、第１実施形態の東屋１と同様に正２０面体形状をベースとしてもよい。この場合には、本実施形態のテントハウス２に比較して高さが低くなる。なお、本実施形態のテントハウス２の骨格構造１４を東屋１に適用すれば、高さの高い東屋を製作することができる。
【００５０】
テントハウス２の屋根３１は、屋根部材３２としてテント地を用い、骨格構造１４のうち五角錐体部分Ａを覆い形成されている。テントハウス２の屋根３１は、第１実施形態の東屋１と同様に軒３３が設けられており、さらに吹き込む風によりテントハウス２自体が持ち上がることを防止するための通風手段である補助屋根３４も第１実施形態の東屋１と同様に設けられている。
【００５１】
屋根３１を覆うテント地３２は、風に煽られてばたつくと耐久性が低下するため、本テントハウス２では軒３３を形成する、隣り合う骨格部材１３ａの先端部に棒材３９を架け渡し、これにテント地３２を固定することで風によるばたつきを防止している。また本テントハウス２では、内側に雨が入らないように軒先３３部分からテント地３２を垂れ下がらせている。
【００５２】
本テントハウス２において、テント地３２、テント地３２の骨格部材１３（１３ａ、１３ｂ）、１５（１５ａ、１５ｂ）への固定方法は、特に限定されるものではないが、本テントハウス２をイベント会場等でイベントハウス等として使用する場合には、現地で組み立てることとなる。これらの点を考慮すれば、骨格部材１３、１５の連結、テント地３２の骨格部材１３、１５への固定方法は、簡単に着脱できる方法が好ましい。
【００５３】
例えば、骨格部材１３、１５の先端部にボールロック機構を設け、ボルト６１に代え、ボールロック機構のボールを利用して連結ブラケット２１、２４、２８と連結させるようにしてもよい。テント地３２の骨格部材１３、１５への固定には、テント地３２の先端部に短冊状の面ファスナを設け、これを骨格部材１３、１５に回し掛け固定するようにしてもよい。
【００５４】
２０面体の中央の１０面体部分Ｂの６面には、壁材としてテント地４２が取付けられている（図５中のドット部分）。テントハウス２には、床は設けられておらず、コンクリート製の基礎ブロック５５に固定されている。基礎ブロック５５への固定方法は、第１実施形態の東屋１と同じである。本実施形態ではテントハウス２の地面に対する固定方法として、基礎ブロック５５を使用しているが、地面に置くだけでもよく、骨格部材１３に固定用のロープを取付け、ロープの一端を地面に固定する方法でもよく、これらの方法を併用してもよい。
【００５５】
本テントハウス２は、第１実施形態の東屋１と同等以上に、簡単に製作することができる。なお、本考案の第２実施形態のテントハウス２では、床５１を設けていないが、第１実施形態の東屋１と同様に床５１を設けてもよい。
【００５６】
図７は、本考案の第３実施形態のグランピングハウス３の外観図である。図８は、本考案の第３実施形態のグランピングハウス３の骨格構造１７の外観図である。図９は、本考案の第３実施形態のグランピングハウス３に設けられた通風手段である自動開閉機構１１５の構造を説明するための図である。図１〜図４に示す本考案の第１実施形態の東屋１、図５及び図６に示す本考案の第２実施形態のテントハウス２と同一の構成には同一の符号を付し、説明を省略する。
【００５７】
グランピングハウス３とは、グランピングで使用する簡易建屋をいう。グランピングとは「グラマラス」と「キャンピング」とを掛け合わせた造語であり、贅沢にキャンプを楽しむという概念といわれている。グランピングハウス３は、用途からグランピングハウスと呼ばれるが、本グランピングハウス３は、骨格構造１７をテント地４３で覆う構造からなるゆえテントハウスということができる。
【００５８】
本考案の第３実施形態のグランピングハウス３は、第２実施形態のテントハウス２と同様に、正三角形と２等辺三角形とを組み合わせてなる２０面体形状をベースとする。グランピングハウス３の骨格構造１７は、軒３３を有していない点を除き、他は第２実施形態のテントハウス２の骨格構造１４と同じである。グランピングハウス３の骨格部材の材質、形状も第２実施形態のテントハウス２の骨格部材と同様に考えることができる。
【００５９】
グランピングハウス３では、屋根３１及び側壁４４全体がテント地４３で覆われ、床５１も設けられているため内部に１つの閉じた空間が形成されている。ここでは屋根３１と側壁４４とがテント地４３で一体的に形成され、骨格部材１７に対して上から覆い被せるように取付けられている。本グランピングハウス３は、軒３３を備えず、さらに出っ張りもないため骨格部材１７に対しテント地４３を被せ易い。本グランピングハウス３では、雨漏り、内部への雨の侵入を考慮し、屋根３１と側壁４４とを一体的に形成しているが、屋根３１と側壁４４とを別々に形成してもよく、また側壁４４を複数のテント地で形成してもよい。
【００６０】
さらに側壁４４部分には窓４５及び人が出入り可能な出入口４６が設けられている。窓４５及び出入口４６は、側壁４４部分のうち下部が内側に入り込んでいる面Ｄに設けることが好ましく、ここに設けることで雨が入り難くなる。側壁４４部分のうち下部が内側に入り込んでいる面Ｄは、中央の１０面体部分Ｂのうち下部に骨格部材１５ｂが配置される部分である。
【００６１】
窓４５及び出入口４６の部分は、ファスナー４７が取付けられ開閉可能に構成され、ファスナー４７の部分にはファスナー４７を覆うカバー部材（図示省略）が設けられ、当該部分から内部に雨が侵入をすることが防止されている。窓４５、出入口４６及びこれらの防水対策については、キャンプ等で使用するテントに用いられている公知の手法を用いることができる。
【００６２】
また側壁４４部分には、通風手段として、内部の圧力が外部の圧力以上に上昇したとき、自動的に開き内部の空気を外部に排出する自動通風機構１１５が設けられている。自動通風機構１１５は、側壁４４部分に設けられた開口部４８を覆うように取付けられた自動通風パイプ１１６を主に構成される。
【００６３】
自動通風パイプ１１６は、両端が開口した柔軟性を有する防水性の筒状部材であり、渦巻き状のバネ部材（図示省略）が取付けられている。自動通風パイプ１１６は、通常、バネ部材を介して渦巻き状に巻き取られた状態であり（図９（ａ）参照）、基端部１１７が開口部４８を覆うように取付けられている。自動通風パイプ１１６には、自動通風パイプ１１６を強制的に直線状とするための挿入パイプ１１８が装着されている。挿入パイプ１１８は、自動通風パイプ１１６の内径よりも僅かに小さい外径を有するパイプであり、挿入パイプ１１８を自動通風パイプ１１６に挿入することで自動通風パイプ１１６を直線状とすることができる（図９（ｂ）参照）。
【００６４】
自動通風機構１１５の動作について説明する。グランピングハウス３内外の圧力差がない場合には、自動通風パイプ１１６は渦巻き状に巻き取られた状態であり、通風不能である。グランピングハウス３内が所定の圧力まで上昇すると渦巻き状のバネ部材のバネ反力に打ち勝ち、グランピングハウス３内の空気が自動通風パイプ１１６を押出し、自動通風パイプ１１６が直線状となる。これによりグランピングハウス３の内外が連通し、内部の空気が外部に排出される。
【００６５】
グランピングハウス３内の空気が排出され、グランピングハウス３内外の圧力差がなくなると、渦巻き状のバネ部材のバネ反力により自動通風パイプ１１６は渦巻き状に巻き取られる。これにより外部の空気、雨の侵入を遮断する。本実施形態では、自動通風機構１１５が側壁４４部分に設けられているが屋根３１、又は側壁４４部分と屋根３１の両方に設けてもよく、数も特に限定されない。
【００６６】
換気等によりグランピングハウス３内と外とを連通させたい場合には、挿入パイプ１１８を自動通風パイプ１１６に挿入し、自動通風パイプ１１６を強制的に直線状とすればよい。特に、屋根３１に自動通風パイプ１１６を設け挿入パイプ１１８を挿入し、これを換気手段とすればグランピングハウス３内に籠る熱を逃がすことができる。屋根３１に取付ける自動通風パイプ１１６の数は、限定されないのでグランピングハウス３の大きさに応じて適宜設ければよい。この場合、グランピングハウス３内に雨が入り込まないように自動通風パイプ１１６を取付けるのがよい。また屋根３１にグランピングハウス３内に籠る熱を逃がす他の換気手段を設けてもよい。
【００６７】
グランピングハウス３は、第１実施形態の東屋１と同じ要領で床５１が設けられている。さらに床５１の下にはグランピングハウス３を移動させるためのキャスター（図示省略）が取付けられている。キャスターは、ストッパ付きのキャスターであり、グランピングハウス３の固定は、キャスターのストッパーと固定用ロープ７０による。
【００６８】
以上、本考案の簡易建屋として、東屋、テントハウス、及びグランピングハウスを示したが、いずれも骨格構造が、正２０面体又は２０面体の上部の五角錐体部分Ａ及び中央の１０面体部分Ｂの各辺に配置される２５本の棒状の骨格部材を連結ブラケットで連結されてなり、屋根及び中央の１０面体部分Ｂの一部又は全部を壁部材で覆い、さらに当該建屋内に吹き込む風を逃がすことが可能な通風手段を備える点で共通する。このような簡易建屋は、簡単な構造で製作が容易であり幅広い簡易建屋に適用可能であり、デザイン的にも優れる。
【００６９】
本考案に係る簡易建屋は、上記実施形態に限定されるものではなく要旨を変更しない範囲で変更して使用することができる。例えば、第１実施形態の東屋、第２実施形態のテントハウスに第３実施形態のグランピングハウスと同様に移動用のキャスターを取付けてもよい。また当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００７０】
１  東屋
２  テントハウス
３  グランピングハウス
１１  骨格構造
１３，１３ａ，１３ｂ  骨格部材
１４，１４ａ，１４ｂ  骨格構造
１５ａ，１３ｂ  骨格部材
１７  骨格構造
２１  連結ブラケット
２４  連結ブラケット
２５  境界部
２６  凹部
２８  連結ブラケット
３１  屋根
３２  屋根部材，テント地
３３  軒
３４  補助屋根
３９  棒材（軒）
４１  壁
４２  壁材，テント地
４３  テント地
４４  側壁
４５  窓
４６  出入口
５１  床
５５  基礎，基礎ブロック
１０１  空気排出口
１１５  自動通風機構
１１６  自動通風パイプ
１１８  挿入パイプ
Ａ  五角錐体部分
Ｂ  中央の１０面体部分
Ｃ  五角錐体部分の頂点
【図１】
0003208097.tif 000003
【図２】
0003208097.tif 000004
【図３】
0003208097.tif 000005
【図４】
0003208097.tif 000006
【図５】
0003208097.tif 000007
【図６】
0003208097.tif 000008
【図７】
0003208097.tif 000009
【図８】
0003208097.tif 000010
【図９】
0003208097.tif 000011